(57)【要約】【課題】上蓋を開けることなく、容器の内容物を計量出来、その上、一体的に成形出来るようにして、低コスト化を可能にする計量機能付ヒンジキャップを提供する。【解決手段】キャップ本体２と上蓋３とがヒンジ４を介して開閉自在に連結されており、キャップ本体２に上蓋３を閉じた状態の容器７を、スリット１４の他端部側１４ｂを上方に一端部側１４ａを下方にして傾けることにより、注出筒１０内のエアーの容積に相当する容器内容液とを置換させて、所定量の内容液を計量部１１内に計量したあと、容器７を正立状態に戻し、上蓋３を開け、注出筒１０内の所定量の内容液を、注ぎ部位１０ａから注ぎ出せるようにすることで、上記の課題を達成することができる。【選択図】 図１
2015013649.tif 000002
【特許請求の範囲】
【請求項１】
キャップ本体と上蓋とがヒンジを介して開閉自在に連結されており、
該キャップ本体は、天面と、該天面の周縁から垂下するスカート壁と、該スカート壁と同心的に前記天面から垂下し、前記スカート壁と相俟って容器の口部に装着する中筒とで構成して、前記天面上面には上方に延出する注出筒、前記天面下面には下方に延出する計量部が形成されており、該計量部は、天面から下方に垂下する計量壁と該計量壁を閉塞する隔壁とで構成されると共に、該隔壁には、一端部側が先に行くに従って幅狭で他端部側が同一幅のスリットを前記注出筒の注ぎ部位と直角に刻設してなり、
前記上蓋は、天板と該天板の周縁から垂下する側壁とで構成され、前記ヒンジの反対側の前記側壁外面から外方に突出する顎部を設けてなり、
前記キャップ本体に前記上蓋を閉じた状態の容器を、前記スリットの他端部側を上方にし、一端部側を下方にして傾けることにより、注出筒内のエアーの容積に相当する容器の内容液とを置換させて、所定量の内容液を該計量部内に計量したあと、容器を正立状態に戻し、前記上蓋を開け前記注出筒内の所定量の内容液を前記注ぎ部位から注ぎ出せるようにしたことを特徴とする計量機能付ヒンジキャップ。
【請求項２】
前記上蓋の天板には、閉蓋時に前記注出筒の内周面に当接して注出筒をシールする凹み部が形成されている請求項１記載の計量機能付ヒンジキャップ。
【請求項３】
前記計量部の隔壁に設けたスリットは、一端部側の最狭幅が０．８ｍｍ±０．２ｍｍであり、他端部側の最広幅が１．６ｍｍ±０．２ｍｍである請求項１または２記載の計量機能付ヒンジキャップ。
【請求項４】
前記計量部の隔壁に設けたスリットは、その周囲が凸部で囲まれている請求項１ないし３のいずれか１項記載の計量機能付ヒンジキャップ。
【請求項５】
前記キャップ本体および／または上蓋の外面に前記注出筒内に容器内容液を所定量計量する際の前記容器の傾き方向を明示する位置表示を付与した請求項１ないし４のいずれか１項記載の計量機能付ヒンジキャップ。
【請求項６】
前記キャップ本体および上蓋が透明ないし半透明であって、前記計量部に計量目盛りを付設した請求項１ないし５のいずれか１項記載の計量機能付ヒンジキャップ。
【請求項７】
前記計量部の隔壁に設けたスリットは、予めシートによりシールされている請求項１ないし６のいずれか１項記載の計量機能付ヒンジキャップ。
【発明の詳細な説明】
【技術分野】
【０００１】
本発明は、内容液を計量して所定量を注ぎ出すことの出来る計量機能付ヒンジキャップに関するものであり、より詳しくは、キャップ本体に上蓋を閉じた状態の容器を、スリットの他端部側を上方に一端部側を下方にして傾けて、注出筒内のエアーと容器の内容液とを置換させて、所定量の内容液を計量部内で計量したあと、容器を正立状態に戻し、上蓋を開け、注出筒内の所定量の内容液を、注ぎ部位から注ぎ出せるようにした計量機能付ヒンジキャップに関する。
【背景技術】
【０００２】
ヒンジキャップは、キャップ本体と上蓋とがヒンジにより連結され、その上蓋の開閉自在性に加えてキャップ本体の易開封性も付与されて、利便性が高められているものである。このため、ヒンジキャップは、洗剤や調味液などの内容液を収容し、その内容液は少量ずつ注出することが多いため、上蓋の開閉頻度の高い容器用に多く使用される。このヒンジキャップは、容器口部にキャップ本体を螺着あるいは打栓して液密にすると共に、容易に外れないようにして液密状態を維持し、さらに、ヒンジ連結にて上蓋を開閉自在にし、また、ヒンジ連結のまま、容器口部からヒンジキャップを螺着脱出来るものもある。
【０００３】
一方、洗剤や調味料などの内容液を計量して所定量を注出できるようにしたものは、ほとんどの場合、計量容器を兼ねる上蓋および注ぎ口となる中栓からなり、容器の口部から上蓋を外し、上蓋に注ぎ口である中栓から容器の内容液を所定量注出し、その内容液を使用するようにしたものである。ところが、これでは、利便性に欠けるので、上記したヒンジキャップが、洗剤や調味液などの内容液を少量ずつ注出して使用するような、上蓋の開閉頻度の高い、容器に多く使用されていることに鑑みて、ヒンジキャップにさらなる利便性を付与するため、内容液を事前に計量して、所定量の内容液を、注出筒の注ぎ部位から注出できるようにしたものが知られている（例えば、特許文献１参照）。
【０００４】
すなわち、特許文献１に記載されている計量機能付ヒンジキャップは、図１０に示したように、容器５０の口部５１内に嵌合されるカップ形状を成し且つ定量すべき液体容積に対応する内容積を有する中栓５２と、この中栓５２の底部に設けられた液体通路をも兼ねる開口部５３と、液体よりも低比重の発泡体ないし中空体から形成され、開口部５３の断面積よりも小さい断面積を有し且つ開口部５３を通して上下に延びている弁胴部５４、並びに開口部５３の断面積よりも大きい断面積を有し且つ弁胴部５４の両端に設けられた上方および下方弁頭部５５ａおよび５５ｂからなる弁５５と、倒立状態で中栓５２への液体供給口となる隙間部を形成するよう開口部５３上方に間隔を置いて設けられた複数個の凸部からなる上方弁頭部支持座５６と、および開口部５３下方に設けられ、中栓５２内に液体が充填され正立状態で下方弁頭部５５ｂとの間に液密係合を行う下方弁頭部支持座５７と、からなるものである。
【先行技術文献】
【特許文献】
【０００５】
【特許文献１】特公平０６−４５３７２号公報
【発明の概要】
【発明が解決しようとする課題】
【０００６】
特許文献１の計量機能付ヒンジキャップは、上蓋５８を開けることなく、容器５０の内容液を計量でき、計量した所定量の内容液を注ぎ出す際、上蓋５８を開けるだけであり、利便性に優れており、使い勝手の良好なものである。しかしながら、この計量機能付ヒンジキャップは、弁５５とその他のヒンジキャップ部分とが別部材からなり、その上、開口部５３にこのような形状の弁５５をセットする事は非常に困難であり、セットするために、弁５５自体を２ピース化する等の更なる方策が必要となることは自明であり、成形上の困難性と共に、コストが割高になってしまう虞がある。
【０００７】
そこで、本発明の目的は、上蓋を開けることなく、容器の内容物を計量出来、その上、一体的に成形出来るようにして、低コスト化を可能にした計量機能付ヒンジキャップを提供することにある。
【課題を解決するための手段】
【０００８】
本発明は、上記目的を達成するために提案されたものであって、下記の構成からなることを特徴とするものである。
すなわち、本発明によれば、キャップ本体と上蓋とがヒンジを介して開閉自在に連結されており、該キャップ本体は、天面と、該天面の周縁から垂下するスカート壁と、該スカート壁と同心的に前記天面から垂下し、前記スカート壁と相俟って容器の口部に装着する中筒とで構成して、前記天面上面には上方に延出する注出筒、前記天面下面には下方に延出する計量部が形成されており、該計量部は、天面から下方に垂下する計量壁と該計量壁を閉塞する隔壁とで構成されると共に、該隔壁には、一端部側が先に行くに従って幅狭で他端部側が同一幅のスリットを前記注出筒の注ぎ部位と直角に刻設してなり、前記上蓋は、天板と該天板の周縁から垂下する側壁とで構成され、前記ヒンジの反対側の前記側壁外面から外方に突出する顎部を設けてなり、
前記キャップ本体に前記上蓋を閉じた状態の容器を、前記スリットの他端部側を上方にし、一端部側を下方にして傾けることにより、注出筒内のエアーの容積に相当する容器内容液とを置換させて、所定量の内容液を該計量部内に計量したあと、容器を正立状態に戻し、前記上蓋を開け前記注出筒内の所定量の内容液を前記注ぎ部位から注ぎ出せるようにしたことを特徴とする計量機能付ヒンジキャップが提供される。
【０００９】
また、本発明によれば、前記上蓋の天板には、閉蓋時に前記注出筒の内周面に当接して注出筒をシールする凹み部が形成されている計量機能付ヒンジキャップが提供される。
【００１０】
また、本発明によれば、前記計量部の隔壁に設けたスリットは、一端部側の最狭幅が０．８ｍｍ±０．２ｍｍであり、他端部側の最広幅が１．６ｍｍ±０．２ｍｍである計量機能付ヒンジキャップが提供される。
【００１１】
また、本発明によれば、前記計量部の隔壁に設けたスリットは、その周囲が凸部で囲まれている計量機能付ヒンジキャップが提供される。
【００１２】
また、本発明によれば、前記キャップ本体および／または上蓋の外面に前記注出筒内に容器内容液を所定量計量する際の前記容器の傾き方向を明示する位置表示を付与した計量機能付ヒンジキャップが提供される。
【００１３】
また、本発明によれば、前記キャップ本体および上蓋が透明ないし半透明であって、前記計量部に計量目盛りを付設した計量機能付ヒンジキャップが提供される。
【００１４】
また、本発明によれば、前記計量部の隔壁に設けたスリットは、予めシートによりシールされている計量機能付ヒンジキャップが提供される。
【００１５】
上記請求項１に係る発明は、キャップ本体に上蓋を閉じた状態の容器を、スリットの他端部側を上方に一端部側を下方にして傾け、キャップ本体内のエアーをスリットの他端部側から容器内に送り出して、容器の内容液と置換させつつ、内容液を計量部内に引き込み計量したあと、容器を正立状態に戻し、上蓋を開けてもスリットの幅寸法や内容液の粘性および表面張力などにより、スリットを通して内容液が容器に戻らず、注出筒内の計量した所定量の内容液を注ぎ部位から外部に注ぎ出せる作用を有する。
【００１６】
また、上記請求項２に係る発明は、キャップ本体に上蓋を閉じると、その凹み部が注出筒の内周面に当接して注出筒をシールして、内容液の漏れを防ぐことが出来る。
【００１７】
また、上記請求項３に係る発明は、スリットの好ましい形態を規定するものである。スリットの他端部側の最広幅が１．６ｍｍ±０．２ｍｍの範囲内であると、キャップ本体に上蓋を閉じた状態の容器を、スリットの他端部側を上方に一端部側を下方にして傾けた際、キャップ本体内のエアーをスリットの他端部側から容器内に送り出して、容器の内容液とを置換させ易く、他方、容器を正立状態に戻し上蓋を開けても、スリットの他端部側を通して内容液が容器に戻りづらい。また、一端部側の最狭幅が０．８ｍｍ±０．２ｍｍの範囲内であると、容器を正立状態に戻し上蓋を開けても、さらに、スリットの一端部側を通して内容液が容器内に戻りづらくなることが確認されている。
【００１８】
上記請求項４に係る発明は、スリットの周囲が凸部で囲まれている形態を規定するものであり、これによって、スリットから計量部に注出された内容液は、より確実に計量部内に留め置くことができるようになる。
【００１９】
上記請求項５に係る発明は、キャップ本体および／または上蓋の外面に容器の傾き方向を明示する位置表示を付与した形態を規定するものであり、これによって、位置表示を頼りすれば、確実にキャップ本体内のエアーをスムーズにスリットの他端部側から容器内に送り出し、これと容器の内容液を置換させつつ内容液を計量部内に引き込める。
【００２０】
上記請求項６に係る発明は、計量部の計量目盛りを、透明ないし半透明のキャップ本体および上蓋に付与することにより、容器の内容液が正確に計量部内に注出されているかを外視によって確認することができる。
【００２１】
上記請求項７に係る発明は、スリットをシートで覆っておくことにより、輸送時との振動などによっても、開封する前に容器の内容液が注出筒や計量部に漏れることがない。
【発明の効果】
【００２２】
本発明の計量機能付ヒンジキャップによれば、上蓋を開けることなく、容器の内容液を計量出来、そのあと上蓋を開けて計量した所定量の内容液を使用でき、その上、一体的に成形することが可能な形状となって、コストを下げることができる効果がある。
【００２３】
また、本発明の計量機能付ヒンジキャップによれば、上記の効果に加えて、キャップ本体に上蓋を閉じれば、確実に注出筒をシールして内容液の漏れを防ぐことが出来る効果がある。
【００２４】
また、本発明の計量機能付ヒンジキャップによれば、上記の効果に加えて、容器をスリットの他端部側を上方に一端部側を下方にして傾けた際、スリットの他端部側からエアーを容器内に、容器から内容液をキャップ本体側にスムーズに置換でき、容器を正立状態に戻し上蓋を開けても、計量した所定量の内容液がスリットを通して再び容器に戻らない効果がある。
【００２５】
また、本発明の計量機能付ヒンジキャップによれば、上記の効果に加えて、スリットから計量部に注出された内容液を確実に計量部内に留め置くことが出来、且つ、スリットをシートで覆う場合も、シートが貼り易くなるとともに、さらに剥がし易くなる効果がある。
【００２６】
また、本発明の計量機能付ヒンジキャップによれば、上記の効果に加えて、位置表示を頼りにすれば、確実にエアーと容器の内容液とを置換させつつ、容易に内容液を計量部内に引き込みできる効果がある。
【００２７】
また、本発明の計量機能付ヒンジキャップによれば、上記の効果に加えて、計量部による内容液の計量を確認且つ調整できる効果がある。
【００２８】
さらに、本発明の計量機能付ヒンジキャップによれば、上記の効果に加えて、使用開始迄の間に、輸送時の振動などによっても、内容物がスリットから漏れる事態を防止でき、商品価値を損なうことがない効果がある。
【図面の簡単な説明】
【００２９】
【図１】実施例１に示した本発明の実施の形態を示す計量機能付ヒンジキャップの開いた状態の縦断面図である。
【図２】同じく計量機能付ヒンジキャップの開いた状態の平面図である。
【図３】図１の計量機能付ヒンジキャップの利用状態を示す縦断面図である。
【図４】図１の計量機能付ヒンジキャップの利用時の容器の傾ける方向性を示す一部を切り欠いた平面図である。
【図５】図１の計量機能付ヒンジキャップの利用状態を示す縦断面図である。
【図６】図１の計量機能付ヒンジキャップの利用状態を示す縦断面図である。
【図７】図１の計量機能付ヒンジキャップの利用状態を示す縦断面図である。
【図８】図１の計量機能付ヒンジキャップの利用時の容器の傾ける方向性を示す平面図である。
【図９】図１の計量機能付ヒンジキャップの利用状態を示す縦断面図である。
【図１０】特許文献１に示した従来例を示す縦断面図である。
【発明を実施するための形態】
【００３０】
以下に、図面を参照して本発明を実施するための形態を説明する。
【実施例１】
【００３１】
図面において、１は計量機能付ヒンジキャップであり、この計量機能付ヒンジキャップ１は、キャップ本体２と上蓋３とがヒンジ４を介して開閉自在に連結されており、このキャップ本体２は、天面５と、この天面５の周縁から垂下するスカート壁６と、このスカート壁６と同心的に天面５から垂下し、スカート壁６と相俟って容器７の口部８に装着する中筒９とで構成して、天面５上面には上方に延出する注出筒１０、天面５下面には下方に延出する計量部１１が形成されている。この計量部１１は、天面から下方に垂下する計量壁１２とこの計量壁１２を閉塞する隔壁１３とで構成されると共に、この隔壁１３には、一端部側１４ａが先に行くに従って幅狭で他端部側１４ｂが同一幅のスリット１４を注出筒１０の注ぎ部位１０ａと直角に刻設されている。
上蓋３は、天板１５とこの天板１５の周縁から垂下する側壁１６とで構成され、ヒンジ４の反対側の側壁１６外面から外方に突出する顎部１７を設けており、キャップ本体２に上蓋３を閉じた状態の容器７を、スリット１４の他端部側１４ｂを上方に一端部側１４ａを下方にして傾けることにより、注出筒１０内のエアーの容積に相当する容器内容液とを置換させて、所定量の内容液を計量部１１内に計量したあと、容器７を正立状態に戻し、その後、上蓋３を開け、注出筒１０内の所定量の内容液を、注ぎ部位１０ａから注ぎ出せるようにしたものである。
【００３２】
前記計量機能付ヒンジキャップ１を冠する容器７は、その口部８に、キャップ本体２を打栓あるいは螺着などにより、装着できるものであれば特に限定がなく、どのようなタイプ、材質でも良い。この実施例１においては容器７として瓶タイプを使用している。そして、この容器７の口部８に、スカート壁６と中筒９との間に形成された空間２０を当てがい、打栓することにより液密にし、容器７の口部８に計量機能付ヒンジキャップ１を冠することになる。この計量機能付ヒンジキャップ１は、洗剤や調味液など、少なくとも水よりも粘性の高い内容液を対象とし、頻繁に内容液を小出しする容器に使用して、上蓋３による開閉が比較的多く行われ、且つ、内容液の使用量を計量した方が好ましい場合を想定している。
【００３３】
前記キャップ本体２は、上蓋３がヒンジ４を介して開閉連結されているため、上蓋３はヒンジ４を中心として回動出来ることになる。そして、前記注出筒１０より外側の天面５上には、外側壁２１が設けられており、その外面には外方に突出する上蓋係合突部２１ａが形成されており、上蓋閉蓋時において、上記鍔部１７と上蓋係合突部２１ａが係合し、キャップ本体２と上蓋３とが適切な密封性を保持することが出来るのである。
【００３４】
前記計量部１１の隔壁１３に設けたスリット１４は、好ましくは、一端部側１４ａの最狭幅が０．８ｍｍ±０．２ｍｍであり、他端部側１４ｂの最広幅が１．６ｍｍ±０．２ｍｍである。長さは、キャップ本体２の大きさにより異なるが、概ね１４ｍｍ±２ｍｍの範囲内である。この他端部側１４ｂの最広幅が１．６ｍｍ±０．２ｍｍの範囲より小であると、容器７を傾けても、エアーと内容液とが置換しなかったり、逆に、この範囲より大であると、容器７を正立状態に戻した際、計量した所定量の内容液が容器７に戻る現象が起こる可能性が出てくる。また、一端部側１４ａの最狭幅が０．８ｍｍ±０．２ｍｍの範囲より大であると、容器７を正立状態に戻した際、計量した所定量の内容液が容器７に戻る現象が起こる可能性が出てくる。
【００３５】
このスリット１４は、その周囲が天面５から上方に突出する凸部２２にて囲まれていて、さらに、その凸部２２にスリット１４を初期密封するためのシート２３が貼られている。スリット１４の周囲が凸部２２で囲まれていることにより、一旦計量部内に注出された内容液が、容器内に逆流しにくくなるばかりでなく、スリット１４を塞ぐためにシート２３を付設する場合は、シートが貼り易くなるとともに、貼り合わせる面積も特定されて逆に剥がし易くなる。そして、スリット１４からシート２３を開封する前は、輸送時の振動によっても、容器７の内容液が注出筒１０内や計量部１１内に漏れることがなく、その密封性を確実に保証するので、商品価値を損なうこともない。
【００３６】
前記上蓋３は、その天板１５に閉蓋時に、注出筒１０の内周面に当接して、注出筒１０をシールする凹み部２４が形成されていることによって、上蓋閉蓋の際、キャップ本体２に上蓋３を被せると、その凹み部２４が注出筒１０の内周面に当接して、注出筒１０を確実にシールし、内容液が外部に漏れるのを防ぐことができる。
【００３７】
また、前記キャップ本体２および／または上蓋３の外面に、注出筒１０内に容器内容液を所定量計量する際の容器７の傾き方向を明示する位置表示２５を付与してもよい。この位置表示２５は、少なくとも他端部側１４ｂに対応する位置に付与されていれば良いが、位置表示を「上」、もしくは「上下」としてもよい。この実施例では、図２に示すように、上蓋３の天板１５の他端部側、すなわち閉蓋状態においてスリット１４の他端部側１４ｂに対応する側に位置表示２５を付与している。したがって、計量時において、消費者はこの位置表示２５が上方になる様に傾けることで、キャップ本体２に上蓋３を閉じた状態の容器７のスリット１４の他端部側１４ｂが必ず上方側となるので、確実に、注出筒１０内のエアーと容器７の内容液とを置換させ得て、所定量の内容液を計量部１１内で計量することができるようになる。
【００３８】
さらに、キャップ本体２および上蓋３は透明ないし半透明のプラスチックによって構成されていることが好ましく、且つ、前記計量部１１に計量目盛り１１ａを付設しておくことも好ましい。こうすることによって、キャップ本体２および上蓋３を通して、計量部１１の計量目盛り１１ａを直接見ることが出来、内容液量の確認や加減をすることが可能となる。
【００３９】
次に、上記構成になる計量機能付ヒンジキャップ１の利用方法について説明する。
まず、キャップ本体２に上蓋３を嵌めて、閉じた状態の計量機能付ヒンジキャップ１にし、容器７内に洗剤や調味液などの内容液を充填したあと、容器７の口部８に計量機能付ヒンジキャップ１を装着、すなわち、容器７の口部８に計量機能付ヒンジキャップ１をあてがい打栓して、容器７内を密封（図３参照）して最終製品とする。
【００４０】
最終製品の消費に際しては、少なくとも計量機能付ヒンジキャップ１の部分を裸出し、キャップ本体２から上蓋３を開ける得る状態にする。そして、上蓋３の鍔部１７に手指を掛けて上蓋３を押し上げれば、上蓋３を開けることができ、さらに、スリット１４をシールしているシート２３の端部を手指でつかみ、剥がして開封する。そのあと、キャップ本体２に上蓋３を被せ、上蓋３に付与してある位置表示２５を確認して、図４に示すように、容器７を、スリット１４の他端部側１４ｂを上方に一端部側１４ａを下方にして４５度程度傾けることにより、注出筒１０内のエアーと容器７の内容液とを置換させて（図５参照）、所定量の内容液を計量部１１内に注出計量したあと、容器７を正立状態に戻し（図６参照）、上蓋３を開け（図７参照）、今度は、図８に示すように、注ぎ部位１０ａより注ぎ出しを行うが、注ぎ部位１０ａに対して直角方向に刻設されるスリット１４が形成されている為、注ぎ出しの際、スリット１４の一端部側１４ａと他端部側１４ｂとが自然と平行となるように傾けることにより、注出筒１０内の所定量の内容液だけを、注ぎ部位１０ａから注ぎ出すことが出来るのである（図９参照）。
【００４１】
所定量の内容液を注ぎ終わったら、計量機能付ヒンジキャップ１を図３の正立状態に戻し、上蓋３を閉じる。以後、容器７内の内容液を使い切るまで、上記と同じ動作を繰り返すことになる。
【００４２】
以上、本発明の実施例１を説明したが、具体的な構成はこれに限定されず、本発明の要旨を逸脱しない範囲での変更は、適宜可能であることが理解されるべきである。
【産業上の利用可能性】
【００４３】
本発明のヒンジキャップは、上蓋を開けることなく容器の内容物を計量出来、その上、一体的に成型出来るようにして、低コスト化を可能にしたいような場合に、その利用可能性が極めて高くなる。
【符号の説明】
【００４４】
１                        計量機能付ヒンジキャップ
２                        キャップ本体
３、５８                  上蓋
４                        ヒンジ
５                        天面
６                        スカート壁
７、５０                  容器
８、５１                  口部
９                        中筒
１０、５０                注出筒
１０ａ                    注ぎ部位
１１                      計量部
１１ａ                    計量目盛り
１２                      計量壁
１３                      隔壁
１４                      スリット
１４ａ                    一端部側
１４ｂ                    他端部側
１５                      天板
１６                      側壁  
１７                      鍔部
２０                      空間
２１                      外側壁
２１ａ                    上蓋係合部
２２                      凸部
２３                      シート
２４                      凹部
２５                      位置表示
５２                      中栓
５３                      開口部
５４                      弁胴部
５５                      弁
５５ａ                    上方弁頭部
５５ｂ                    下方弁頭部
５６                      上方弁頭部支持座
５７                      下方弁頭部支持座
【図１】
2015013649.tif 000003
【図２】
2015013649.tif 000004
【図３】
2015013649.tif 000005
【図４】
2015013649.tif 000006
【図５】
2015013649.tif 000007
【図６】
2015013649.tif 000008
【図７】
2015013649.tif 000009
【図８】
2015013649.tif 000010
【図９】
2015013649.tif 000011
【図１０】
2015013649.tif 000012